(57)【要約】【課題】本発明は、図面や仕様書などの書類のチェックリストを生成するチェックリスト生成方法に関し、図面や仕様書などの書類の修正時などに画面上でチェック内容やノウハウを入力して当該書類に対応づけて登録すると共にそのランク付けし、参照時にランク、標準チェック項目などを参考に図面等に反映、検図、承認などに利用し、チェック・ノウハウシートを自動作成すると共にその信頼性をランク（更に、標準チェック項目）で提示することを目的とする。【解決手段】図面や仕様書などの書類の修正時に、表示した画面上から入力されたチェック内容を取り込むステップと、取り込んだチェック内容を、前記書類に対応づけてデータベースに登録するステップとを有する。【選択図】  図１
2004303072.tif 000002
【特許請求の範囲】
【請求項１】
データベースを有し図面や仕様書などの書類のチェックリストを生成するコンピュータが行うチェックリスト生成方法において、
図面や仕様書などの書類の修正時に、表示した画面上から入力されたチェック内容を取り込むステップと、
前記取り込んだチェック内容を、前記書類に対応づけて前記ータベースに登録するステップと、
前記チェック内容のレベルと、更に標準チェック項目に該当するときは当該標準チェック項目を対応づけて前記データベースに登録するステップとを有するチェックリスト生成方法。
【請求項２】
前記チェック内容と一緒にノウハウを合わせて入力されたときに当該チェック内容およびノウハウ内容を前記書類に対応づけてデータベースに登録することを特徴とする請求項１記載のチェックリスト生成方法。
【請求項３】
前記データベースに登録したチェックリストの参照回数を計数して所定値以上となったときにランクを上げることを特徴とする請求項１あるいは請求項２記載のチェックリスト生成方法。
【発明の詳細な説明】
【０００１】
【発明の属する技術分野】
本発明は、図面や仕様書などの書類のチェックリストを生成するチェックリスト生成方法に関するものである。
【０００２】
【従来の技術】
従来、図面や仕様書などのチェック作業では、予め作成したチェックシートや確認シートを手作業を作成しておき、それをもとに効率的にチェックを行うと共にチェック洩れを防ぐようにしていた。
【０００３】
また、電子化された図面に修正したときに図面情報を付加しておき、それを設計、検図、承認などで参照してチェックし易くする技術がある（特許文献１）。
【０００４】
【特許文献１】
特開平５−２４２１７２号公報の〔０００９〕から〔００１１〕および図２参照。
【０００５】
【発明が解決しようとする課題】
しかし、上述した前者では、チェックシートを手作業で作成したのでは、大変であると共にチェック内容の洩れがあったり、更に、積極的にノウハウなどの情報を提供してより良い図面や仕様書などにし得ないという問題があった。
【０００６】
また、上述した後者では、図面の修正情報を参照してその修正理由は判明するが、その他の部分についてチェックし得ないと共に、更に、積極的にノウハウなどの情報を提供してより良い図面や仕様書などにし得ないという問題があった。
【０００７】
本発明は、これらの問題を解決するため、図面や仕様書などの書類の修正時などに画面上でチェック内容やノウハウを入力して当該書類に対応づけて登録すると共にそのランク付けし、参照時にランク、標準チェック項目などを参考に図面等に反映、検図、承認などに利用し、チェック・ノウハウシートを自動作成すると共にその信頼性をランク（更に、標準チェック項目）で提示することを目的としている。
【０００８】
【課題を解決するための手段】
図１を参照して課題を解決するための手段を説明する。
【０００９】
図１において、登録手段１１は、工程２１の各段階からの図面（仕様）などの書類のコメント／ノウハウの登録を受付けてチェック／ノウハウリストＤＢ１２に登録するものである。
【００１０】
評価手段１３は、チェックリスト／ノウハウＤＢ１２に登録されたリストの評価を行なうものである。
【００１１】
提示手段１４は、チェック／ノウハウリストＤＢ１２から検索して該当するリストを提示するものである。
【００１２】
工程２１は、図面や仕様などの書類の作成工程であって、ここでは、図面の作成工程（設計、検図、承認の工程）である。
【００１３】
次に、動作を説明する。
登録手段１１が図面や仕様書などの書類の修正時などに、表示した画面上から入力されたチェック内容を取り込み、取り込んだチェック内容を書類に対応づけてチェック／ノウハウリストＤＢ１２に登録するようにしている。
【００１４】
この際、チェック内容のレベルと、更に標準チェック項目に該当するときは当該標準チェック項目を対応づけて登録するようにしている。
【００１５】
また、チェック内容と一緒にノウハウを合わせて入力されたときに当該チェック内容およびノウハウ内容を書類に対応づけてチェック／ノウハウリストＤＢ１２ＤＢに登録するようにしている。
【００１６】
また、評価手段１３がチェック／ノウハウリストＤＢ１２に登録したチェックリストの参照回数を計数して所定値以上となったときにランクを上げるようにしている。
【００１７】
また、チェック／ノウハウリストＤＢ１２に登録したチェックリストの参照回数が所定値以上かつチェックリスト参照時に良いと投票された投票回数が所定値以上のときに標準チェック項目と判定して付加するようにしている。
【００１８】
従って、図面や仕様書などの書類の修正時などに画面上でチェック内容やノウハウを入力して当該書類に対応づけて登録すると共にそのランク付けし、参照時にランク、標準チェック項目などを参考に図面等に反映、検図、承認などに利用することにより、チェック・ノウハウシートを自動作成すると共にその信頼性をランク（更に、標準チェック項目）で提示することが可能となる。
【００１９】
【発明の実施の形態】
次に、図１から図１０を用いて本発明の実施の形態および動作を順次詳細に説明する。
【００２０】
図１は、本発明のシステム構成図を示す。
図１において、登録手段１１は、工程２１の各段階で図面（仕様）などの書類の修正時などに、修正者などが画面上からコメント／ノウハウを入力すると、これを受付けてチェック／ノウハウリストＤＢ１２に登録するものである（図２から図５を用いて後述する）。
【００２１】
評価手段１３は、チェックリスト／ノウハウＤＢ１２に登録されたリストの
評価を行なうものである（図８、図９を用いて後述する）。
【００２２】
提示手段１４は、チェック／ノウハウリストＤＢ１２から検索して該当するリスト内容１５を提示するものである。
【００２３】
リスト内容１５は、検索して提示したチェック／ノウハウリストの内容であって、これを見た設計者が設計に反映したりなどに利用したり、検図者や承認者が見てチェック内容の確認して検図や承認に利用したりなどするためのものである。
【００２４】
工程２１は、図面や仕様などの書類の作成工程であって、ここでは、図面の作成工程（設計、検図、承認の工程）を例にあげたものである。工程２１の各段階で、リスト内容１５を見て参照したり、チェックしたり、検図したり、承認したり、更に、コメントやノウハウを画面上から入力してチェック／ノウハウリストＤＢ１２に登録したりなどする。
【００２５】
次に、図２から図５を用い、図１の構成のもとで、コメント（チェック内容）およびノウハウを登録するときの手順を詳細に説明する。
【００２６】
図２は、本発明の画面例（登録）を示す。
図２の（ａ）は、画面上で図面を設計している様子を示す。図示の画面上で、図面を設計中に、修正が必要となり、コメントを登録しようとしたとき、下段の”コメント登録”ボタンを押下すると、図２の（ｂ）のコメント登録画面が表示される。
【００２７】
図２の（ｂ）は、コメント登録画面の例を示す。コメント登録画面の詳細例を図２の（ｃ）に示す。
【００２８】
図２の（ｃ）は、コメント登録画面の詳細例を示す。図示のコメント登録画面（詳細）上で、ここでは、図示の下記の情報を入力、あるいはプルダウンメニューから選択入力する。
【００２９】
・図面：図面Ａ
・修正位置：図示の斜線の位置
・ページ：１
・グループ：１．修正
・対応時間：０時間１０分
・コメント内容：長さ寸法を１ｍｍ増加する。
【００３０】
・ノウハウ内容：１ｍｍ増すと強度を１０％アップする。
・その他：
ここで、「図面：図面Ａ」．「修正位置：図示の斜線の位置」、「ページ：１」、「グループ：１．修正」は、それぞれ、図２の（ａ）の図面を修正した場所の情報（図面名、修正位置、図面のページ、グループ（修正））であって、修正個所を特定する情報である。「対応時間：０時間１０分」は、修正に要した時間である。「コメント内容：長さ寸法を１ｍｍ増加する。」は、図面を修正した内容のコメントである。「ノウハウ内容：１ｍｍ増すと強度を１０％アップする。
」は、コメントで記載した長さ寸法を１ｍｍ増加すると、強度が１０％増加するというノウハウを記載したものである。尚、この際、コメント内容、ノウハウ内容の欄の右側に”テンプレート参照”のボタンがあり、これを押下すると、コメント、ノウハウを入力するテンプレート、例えば図２の（ｄ）のコメント入力テンプレートが表示される。
【００３１】
以上のように、コメント登録画面を表示し、当該画面上には図２の（ａ）の図面上で修正した場所情報（図面名、図面内の区画、ページ、グループ（ここでは、修正））が自動的に入力されて表示され、更に、コメント内容、ノウハウ内容を設計者が入力し、登録ボタンを押下するとこれらの情報が後述する図５のコメント／ノウハウリストＤＢ１２に自動登録されることとなる。
【００３２】
図２の（ｄ）は、コメント入力テンプレートの例を示す。これは、既述した図２の（ｃ）の画面の、コメントのテンプレート参照ボタンを押下したときに表示されるコメント入力テンプレートである。図示のコメント入力テンプレートは、上段に、検索キーを入力するＡ，Ｂ，Ｃの３つの入力フィールドがあり、これらに検索キーを入力して検索ボタンを押下すると、下段に検索された文章テンプレートが表示されるので、その中から選択し、コメントとして入力する。また、中段のフリーフォーマット欄には、自由に任意の文章（例えば、図示の”長さ寸法を１ｍｍ増加する。”）を入力し、コメントとして入力してもよい。
【００３３】
図３は、実施の形態のシステムにおける動作説明フローチャート（登録、その１）を示す。
【００３４】
図３において、Ｓ１では、図面・仕様書を表示する。
Ｓ２では、Ｓ１で表示された図面・仕様書に対し、操作者が行った操作に基き図面・仕様書の作成・修正処理を行なう。
【００３５】
Ｓ３では、操作者がコメント登録ボタンを押下する。これらＳ１からＳ３の処理により、既述した図２の（ａ）の画面を表示して図面を作成・修正処理が行われ、画面の下段の”登録ボタン”を押下することにより、データの登録が行われる。
【００３６】
次に、Ｓ４では、コメント登録画面を表示する。これは、既述した図２の（ｃ）のコメント登録画面を表示する。
【００３７】
Ｓ５では、操作者により入力された登録内容を受付ける。
Ｓ６では、コメント・ノウハウ内容の入力時にテンプレートを使用か判別する。これは、既述した図２の（ｃ）のコメント登録画面上の、テンプレート参照ボタンが押下されたか判別する。ＹＥＳの場合には、Ｓ７に進む。ＮＯの場合には、Ｓ１２に進む。
【００３８】
Ｓ７では、Ｓ６のＹＥＳでテンプレート使用して入力すると判明した場合であり、テンプレートを表示する。例えば既述した図２の（ｄ）のコメント入力テンプレート（あるいは図示外のノウハウ入力テンプレート）を表示する。
【００３９】
Ｓ８では、操作者の入力により単語入力・選択された情報を受付ける。
Ｓ９では、同じく操作者の入力により、文章テンプレート入力・選択された情報を受付ける。
【００４０】
Ｓ１０では、文章テンプレートに単語を自動組込みする。
Ｓ１１では、決定ボタンを押下によりコメント登録画面に反映する。
【００４１】
Ｓ１２では、コメント・ノウハウ情報の単語・文章テンプレートの作成を行なう。
【００４２】
以上によって、図２の（ｄ）のコメント入力テンプレートに、図示の下記の情報を、自動設定、あるいは設計者が直接に入力、あるいはテンプレートから選択して入力する。
【００４３】
・図面：図面Ａ
・修正位置：図示の斜線の位置
・ページ：１
・グループ：１．修正
・対応時間：０時間１０分
・コメント内容：長さ寸法を１ｍｍ増加する。
【００４４】
・ノウハウ内容：１ｍｍ増すと強度を１０％アップする。
Ｓ１３では、図２の（ｄ）のコメント登録画面上で、下段の「登録」ボタンを押下し、コメント／ノウハウリストＤＢ１２に登録を指定する。
【００４５】
Ｓ１４では、登録ユーザのコメント確認不要か判別する。これは、登録ユーザがレベルが高い（熟練者）と認定されてコメント登録確認が不要か判別する。ＹＥＳの場合には、Ｓ１７でＤＢ登録（コメント／ノウハウリストＤＢ１２に登録）する。一方、ＮＯの場合には、Ｓ１５で上位登録者にコメント確認依頼し、Ｓ１６で上位登録者によるコメント確認が済みしだい、Ｓ１７でＤＢ登録する。
【００４６】
以上によって、設計者が例えば図２の（ａ）の画面上で図面の設計中に例えば修正したときに、”コメント登録”ボタンを押下すると、図２の（ｃ）のコメント登録画面が表示され、当該コメント登録画面上に修正した図面（図面Ａ）．修正位置（斜線の位置）、ページ（１ページ）、グループ（修正）、対応時間（ここでは、１０分）を表示すると共に、コメント内容、ノウハウ内容の入力欄が表示されるので、これらにコメント（長さ寸法１ｍｍ増加する）、ノウハウ（１ｍｍ増すことで強度を１０％アップする）を入力し、登録ボタンを押下すると、自動的に図５の（ａ）のコメント／ノウハウリストＤＢ１２に登録することが可能となる。
【００４７】
図４は、本発明の動作説明フローチャート（登録、その２）を示す。
図４において、Ｓ２１では、フリーフォーマットでコメント・ノウハウを入力する。
【００４８】
Ｓ２２では、入力されたコメント内容から単語の切り出しを行なう。例えば”長さ寸法を１ｍｍ増加する。”という入力されたコメントから、”長さ寸法”、”１ｍｍ”，”増加”を切り出す。
【００４９】
Ｓ２３では、切り出された単語を単語テンプレートから検索する。これは、Ｓ２２で切り出した各単語について、後述する図５の（ｄ）の単語テンプレートテーブルにあるか検索する。
【００５０】
Ｓ２４では、単語テンプレートに既存か判別する。ＹＥＳの場合には、Ｓ２５でその利用回数を＋１し、Ｓ２７に進む。ＮＯの場合には、Ｓ２６で新規に登録し、Ｓ２７に進む。
【００５１】
Ｓ２７では、コメント内容から文章を切り出す。
Ｓ２８では、切り出された文章を、文章テンプレートから検索する。
【００５２】
Ｓ２９では、文章テンプレートに既存か判別する。これらＳ２７からＳ２９は、コメント内容が例えば”ＡをＢ増加する”の場合、後述する図５の（ｅ）の文章テンプレートテーブルを検索して一致するものがあるか判別する。ＹＥＳの場合には、Ｓ３０でその利用回数を＋１し、Ｓ３２に進む。ＮＯの場合には、Ｓ３１で文章テンプレートテーブルに新規に登録し、Ｓ３２に進む。
【００５３】
Ｓ３２では、切り出された単語と文章の利用回数と、単語数などから有効値を計算し、高い順にコメントのランクと標準チェック項目か否かを決定する。これは、
・有効値＝（（単語１のポイント）＋（単語２のポイント）＋・・・＋（単語ｎのポイント））×（単語計数）＋（文章のポイント）          （式１）
を計算する。例えば
・１ｍｍ増すことで強度を１０％アップする。
の場合には、
・”１ｍｍ”の利用回数から、そのポイント＝１
・”強度”の利用回数から、そのポイント＝１
・”１０％アップ”の利用回数から、そのポイント＝１
・”Ａ増すごとでＢをＣする”の利用回数から、そのポイント＝５
となったとすると、合計＝（１＋１＋１）×０．４＋５＝６．２
と計算できる。そして、この値が、高い順にランクを付与、およびランクが所定以上、かつ利用回数が所定値以上のときに標準チェック項目と決定する。
【００５４】
以上によって、コメント、ノウハウを入力するときは単語テンプレートを利用して入力あるいは登録無のときは新規登録、更に、文章テンプレートを利用して入力あるいは登録無のときは新規登録すると共に、利用したときにはその単語、文章の利用回数を＋１し、これらの利用数を計数して単語、文章のランクつけ、更に標準チェック項目にすることが可能となる。
【００５５】
図５は、本発明のＤＢ／テーブル例を示す。
図５の（ａ）は、コメント／ノウハウリストＤＢ１２の例を示す。コメント／ノウハウリストＤＢ１２は、図示の下記の情報を対応付けて登録したものである。
【００５６】
・Ｎｏ：
・図番：
・版数：
・内容：
・コメント／ノウハウフラグ（０：コメント、１：ノウハウ）：
・ランク：
・有効数：
・利用数：
・標準項目フラグ（０：非標準項目、１：標準項目）：
・その他：
ここで、Ｎｏはシーケンシャルな番号である。図番、版数、内容は、修正などした図面の、図番、版数、内容（コメント、ノウハウ）である。コメント／ノウハウフラグは、０のときは当該レコードがコメント、１のときは当該レコードがノウハウを表す。ランクは、当該レコードのコメント、ノウハウのランクを表す。有効数は有効コメント、有効ノウハウの投票総数を表す。利用数は、当該レコードを利用（参照）した回数を表す。標準項目フラグは、既述した図４のＳ３２で標準チェック項目と判定されたときに１、それ以外は０（非標準チェック項目）を表す。
【００５７】
図５の（ｂ）は、図面属性テーブルの例を示す。これは、図面の属性情報として図面毎に図示の下記の情報を対応づけて登録したものである。
【００５８】
・Ｎｏ：
・図番：
・版数：
・グループ：
・修正位置：
・ページ：
・対応時間：
・登録者：
・登録日時：
・その他：
ここで、Ｎｏはシーケンシャルに付与した一意の番号である。図番、版数は、図面の番号、版数である。グループは、修正、新規追加、削除、設計変更、却下理由などを表すものである。修正位置、ページ、対応時間、登録者、登録日時は、図面を修正した位置、ページ、修正に要した時間、登録者、登録日時である。
【００５９】
図５の（ｃ）は、登録情報詳細テーブルの例を示す。登録情報詳細テーブルは、図５の（ｂ）の図面属性テーブルの各項目の詳細情報を設定したものであって、ここでは、項目に対応づけて必須入力、備考の詳細情報を登録したものである。
【００６０】
図５の（ｄ）は、単語テンプレートテーブルの例を示す。単語テンプレートは、既述したＳ２３からＳ２６で利用したものであって、コメント、ノウハウを、既述した図２の（ｃ）のコメント登録画面上で入力するときに利用するものであり、かつその利用数を計数し、ランク、標準チェック項目の自動判定に利用するものでもあり、図示の下記の情報を対応づけて登録したものである。
【００６１】
・Ｎｏ：
・単語：
・利用数：
ここで、Ｎｏはシーケンシャルに一意に付与した番号である。単語は、単語テンプレートとして利用する単語を登録したものである。利用数は、利用した回数を表す。
【００６２】
図５の（ｅ）は、文章テンプレートテーブルの例を示す。文章テンプレートは、既述したＳ２８からＳ３１で利用したものであって、コメント、ノウハウを、既述した図２の（ｃ）のコメント登録画面上で入力するときに利用するものであり、かつその利用数を計数し、ランク、標準チェック項目の自動判定に利用するものでもあり、図示の下記の情報を対応づけて登録したものである。
【００６３】
・Ｎｏ：
・内容：
・利用数：
ここで、Ｎｏはシーケンシャルに一意に付与した番号である。内容は、文章テンプレートとして利用する文章（内容）を登録したものである。利用数は、利用した回数を表す。
【００６４】
図５の（ｆ）は、テンプレート用ランクマスタテーブルの例を示す。これは、テンプレート用のランクを決定する情報であって、ここでは、図示の下記の情報を対応付けて登録したものである。
【００６５】
・テーブルＮｏ：
・ランク：
・ポイント：
・Ｍｉｎ：
・Ｍａｘ：
ここで、テーブルＮｏは、０が単語テンプレートテーブルを表し、１が文章テンプレートテーブルを表す、ランクは、テーブルのランクである。Ｍｉｎ，Ｍａｘは、ランクにおける単語あるいは文章の下限および上限の利用回数である。
【００６６】
次に、図６から図８を用いて、図１の構成のもとで、コメント／ノウハウリストＤＢ１２を検索してコメント、ノウハウのリストを提示し利用するときの動作を詳細に説明する。
【００６７】
図６は、本発明の画面例を示す。
図６の（ａ）は、画面上で図面を設計している様子を示す。図示の画面上で、下段の”チェックリスト作成／ノウハウ参照”ボタンを押下すると、図６の（ｂ）のチェックリスト作成／ノウハウ参照画面が表示される。
【００６８】
図６の（ｂ）は、チェックリスト作成／ノウハウ参照画面の例を示す。チェックリスト作成／ノウハウ参照画面の詳細例を図６の（ｃ）に示す。
【００６９】
図６の（ｃ）は、チェックリスト作成／ノウハウ参照画面の詳細例を示す。図示のチェックリスト作成／ノウハウ参照画面上で、検索条件を入力し、下段の”検索実行”ボタンを押下すると、検索結果一覧として、図７の（ｄ）の検索結果一覧画面に遷移する。
【００７０】
図７の（ｄ）は、検索結果一覧画面の例を示す。これは、図７の（ｃ）の検索条件で検索されたコメント、ノウハウの検索結果一覧画面の例である。この画面上の下段の”チェックリスト作成”ボタンを選択すると、図７の（ｅ）の画面に遷移し、図示のようなチェックリストを作成する。また、検索結果一覧の内容中の任意のレコードをクリックすると、その詳細情報が図７の（ｆ）のコメント／ノウハウ詳細画面に示すように表示される。
【００７１】
図７の（ｅ）は、チェックリスト作成の画面例を示す。ここでは、図示のようにチェックリストが作成される。
【００７２】
図７の（ｆ）は、コメント／ノウハウ詳細画面の例を示す。これは、既述した図７の（ｄ）の検索結果一覧から選択されたレコードのコメント／ノウハウの詳細情報を表示した画面である。
【００７３】
図８は、本発明の動作説明フローチャート（評価）を示す。
図８において、Ｓ４１では、操作者が「チェックリスト作成／ノウハウ参照」ボタンを押下する。これは、既述した図６の（ａ）の画面上の下段の「チェックリスト作成／ノウハウ参照」ボタンを押下する。
【００７４】
Ｓ４２では、Ｓ４１の操作を受けたシステムが、チェックリスト／ノウハウ参照画面を表示する。これは、既述した図６の（ｃ）のチェックリスト・／ノウハウ参照画面を表示する。
【００７５】
Ｓ４３では、操作者が検索条件を入力する。これは、Ｓ４２で表示した既述した図６の（ｃ）のチェックリスト／ノウハウ参照画面上から検索条件を入力する。
【００７６】
Ｓ４４では、操作者が「検索実行」ボタンを押下する。
Ｓ４５では、検索結果一覧を表示する。これは、例えば既述した図７の（ｄ）の検索結果一覧画面を表示する。
【００７７】
Ｓ４６では、内容をクリックし詳細情報を参照か判別する。これは、既述した図７の（ｄ）の検索結果一覧画面上でいずれの検索結果（内容）をクリックして詳細情報を参照指示したか判別する。ＹＥＳの場合には、コメント・ノウハウ詳細画面（図７の（ｆ））を表示すると共に、Ｓ４７で使用されたコメント・ノウハウの利用回数を＋１し、Ｓ５０に進む。一方、ＮＯの場合にはＳ４８に進む。
【００７８】
Ｓ４８では、「チェックリスト作成」ボタン押下により、チェックリスト作成が選択されたか判別する。ＹＥＳの場合には、チェックリスト作成画面を表示（図７の（ｅ））すると共に、Ｓ４９で使用されたコメント・ノウハウの利用回数を＋１し、Ｓ５０に進む。ＮＯの場合には、Ｓ５７でコメント・ノウハウのランク変らず、そのまま終了する。
【００７９】
Ｓ５０では、特に有効だと思われるコメントに投票チェックボックスをチェックされたか判別する。これは、例えば既述した図７の（ｄ）の検索結果一覧画面上で、特に有効だと思われるコメントの投票チェックボックス（右端の「投票」）がチェックされたか判別する。ＹＥＳの場合には、Ｓ５１で使用されたコメント・ノウハウの有効回数を＋１し、Ｓ５２に進む。ＮＯの場合には、Ｓ５２に進む。
【００８０】
Ｓ５２では、上位のランクの規定利用回数より上か判別する。これは、Ｓ４７あるいはＳ４９で利用回数の＋１された使用されたノウハウ・コメントの利用回数（総和）が現在のランクより上のランクの規定利用回数に増加したか判別する。ＹＥＳの場合には、Ｓ５３で当該コメント・ノウハウのランクアップし（既述した図５の（ａ）のコメント／ノウハウリストＤＢ１２の該当コメント・ノウハウのランクをランクアップし）、Ｓ５４に進む。ＮＯの場合には、Ｓ５８でランク変らずとして終了する。
【００８１】
Ｓ５４では、規定ランク以上＆有効コメント投票回数が規定値以上で標準チェック項目にするか判別する。これは、既述した図４のＳ３２で算出したと同様に、有効値を算出してこれが規定値以上となり標準チェック項目かを計算する。ＹＥＳの場合には、Ｓ５５で標準チェック項目に昇格（図５の（ａ）のコメント／ノウハウＤＢ１２の該当コメント・ノウハウの標準項目フラグを０から１に設定）し、終了する。一方、Ｓ５４のＮＯの場合には、Ｓ５６で標準チェック項目への昇格なしと判定し、終了する。
【００８２】
以上によって、コメントあるいはノウハウが使用（参照、あるいは新たなコメント／ノウハウ作成に利用）されたときに利用回数を＋１、更に、有用なコメント・ノウハウの投票チェックボックスにチェックさせて有効回数を＋１し、これら利用回数が上位ランクの利用回数となったときはランクアップ、更に、利用回数および有効回数が所定回数以上となったときに標準チェック項目に昇格することが自動的に可能となる。そして、これら昇格したランクアップおよび標準チェック項目は、既述した図５の（ａ）のコメント／ノウハウリストＤＢ１２に登録され、全ての設計者などが検索したときにランクと、標準チェック項目を明示されるのでこれを参照し、設計図や仕様書などをチェックしたり、検図したり、承認したり、参照して設計したりすることが可能となる。
【００８３】
図９は、本発明の動作説明フローチャート（ランク更新）を示す。
図９において、Ｓ６１では、コメント登録時にＳ６３以降を実行する。
【００８４】
Ｓ６２では、コメントランクアップ時（コメントランクのアップ処理が管理者により指示されたとき）にＳ６３以降を実行する。
【００８５】
Ｓ６３では、登録者の登録コメント・ノウハウを検索し、コメント／ノウハウ数、ランク数の情報から登録者の保有ポイント数を計算する。例えばＡさんの、
・コメント「長さ寸法を１ｍｍ増加する」のポイントが５．８
・ノウハウ「１ｍｍ増すごとに強度を１０％アップする。」が６．２
としたときは、総和の（５．８＋６．２）＝１２．０と算出する。
【００８６】
Ｓ６４では、上位ランクのポイント総数より上か判別する。これは、後述する図１０のランクマスタテーブルを参照し、現在のランクより上ランクのポイント総数か判別する。ＹＥＳの場合には、Ｓ６６５でランクアップし、Ｓ６６に進む。ＮＯの場合には、Ｓ６９でランク変らずとし、終了する。
【００８７】
Ｓ６６では、規定ランク以上＆有効コメント投票数（有効数）が規定値以上でコメント確認不要者に適するか判別する。ＹＥＳの場合には、Ｓ６７でコメント確認不要者に昇格し、終了する。ＮＯの場合には、Ｓ６８でコメント不要者への昇格なしと判定し、終了する。
【００８８】
以上によって、コメント登録時などに当該登録者の既に登録されているコメント・ノウハウの利用数をもとにランクアップか判定、更に、使用者によって投票された有効数を考慮してコメント確認不要者か判定し、適したときに当該登録者のランクアップ、確認不要者に昇格する処理を自動的に行うことが可能となる。
【００８９】
図９は、本発明のランクマスタテーブル例（コメント／登録者用）を示す。これは、コメント・ノウハウ／登録者のランクを設定したものであって、ここでは、図示の下記の情報を対応づけて登録したものである。
【００９０】
・ＩＤ：０（コメント用）、１（登録者用）
・ランク：
・Ｍｉｎ：
・Ｍａｘ：
・フラグ：
ここで、ＩＤは、コメント用（０）あるいは登録者用（１）を区別するものである。ランクは、コメント／登録者のランクである。Ｍｉｎ，Ｍａｘはそれぞれのランクにおけるポイントである。フラグはコメント用のときは標準チェック項目用ランクフラグであり、登録者用のときはコメント確認不要者ランクフラグである。
【００９１】
（付記１）
データベースを有し図面や仕様書などの書類のチェックリストを生成するコンピュータが行うチェックリスト生成方法において、
図面や仕様書などの書類の修正時に、表示した画面上から入力されたチェック内容を取り込むステップと、
前記取り込んだチェック内容を、前記書類に対応づけて前記ータベースに登録するステップと、
前記チェック内容のレベルと、更に標準チェック項目に該当するときは当該標準チェック項目を対応づけて前記データベースに登録するステップとを有するチェックリスト生成方法。
【００９２】
（付記２）
前記チェック内容と一緒にノウハウを合わせて入力されたときに当該チェック内容およびノウハウ内容を前記書類に対応づけてデータベースに登録することを特徴とする付記１記載のチェックリスト生成方法。
【００９３】
（付記３）
前記データベースに登録したチェックリストの参照回数を計数して所定値以上となったときにランクを上げることを特徴とする付記１あるいは付記２記載のチェックリスト生成方法。
【００９４】
（付記４）
前記データベースに登録したチェックリストの参照回数が所定値以上かつチェックリスト参照時に良いと投票された投票回数が所定値以上のときに前記標準チェック項目と判定することを特徴とする付記１記載のチェックリスト生成方法。
【００９５】
【発明の効果】
以上説明したように、本発明によれば、図面や仕様書などの書類の修正時などに画面上でチェック内容やノウハウを入力して当該書類に対応づけて登録すると共にそのランク付けし、参照時にランク、標準チェック項目などを参考に図面等に反映、検図、承認などに利用し得る構成を採用しているため、チェック・ノウハウシートを自動作成すると共にその信頼性をランク（更に、標準チェック項目）で提示することが可能となる。
【図面の簡単な説明】
【図１】本発明のシステム構成図である。
【図２】本発明の画面例である。
【図３】本発明の動作説明フローチャート（登録、その１）である。
【図４】本発明の動作説明フローチャート（登録，その２）である。
【図５】本発明のＤＢ／テーブル例である。
【図６】本発明の画面例である。
【図７】本発明の画面例である。
【図８】本発明の動作説明フローチャート（評価）である。
【図９】本発明の動作説明フローチャート（ランク更新）である。
【図１０】本発明のランクマスタテーブル例である。
【符号の説明】
１１：登録手段
１２：コメント／ノウハウリストＤＢ
１３：評価手段
１４：提示手段
２１：工程
【図１】
2004303072.tif 000003
【図２】
2004303072.tif 000004
【図３】
2004303072.tif 000005
【図４】
2004303072.tif 000006
【図５】
2004303072.tif 000007
【図６】
2004303072.tif 000008
【図７】
2004303072.tif 000009
【図８】
2004303072.tif 000010
【図９】
2004303072.tif 000011
【図１０】
2004303072.tif 000012